(57)【要約】【課題】広角端での広い画角およびズーム全域での小さいＦ値を有するとともに、収差が良好に補正されたズームレンズ、およびそのズームレンズを備えた撮像光学装置及びデジタル機器を提供する。【解決手段】ズームレンズＬＮは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とからなる。変倍時に、第１レンズ群Ｇ１、第２レンズ群Ｇ２、第３レンズ群Ｇ３、第４レンズ群Ｇ４、第５レンズ群Ｇ５および第６レンズ群Ｇ６のうちの隣り合う２つのレンズ群の間隔が変化する。ズームレンズＬＮは、条件式：０＜ｆｔ／ｆ１≦０．４２（ｆｔ：望遠端における全系の焦点距離、ｆ１：前記第１レンズ群の焦点距離）を満足する。【選択図】図１
2020190679.tif 000002
【特許請求の範囲】
【請求項１】
物体側から順に、
正の屈折力を有する第１レンズ群と、
負の屈折力を有する第２レンズ群と、
正の屈折力を有する第３レンズ群と、
正の屈折力を有する第４レンズ群と、
負の屈折力を有する第５レンズ群と、
正の屈折力を有する第６レンズ群とからなり、
変倍時に、前記第１レンズ群、前記第２レンズ群、前記第３レンズ群、前記第４レンズ群、前記第５レンズ群および前記第６レンズ群のうちの隣り合う２つのレンズ群の間隔が変化し、
以下の条件式（１）を満足するズームレンズ；
０＜ｆｔ／ｆ１≦０．４２  …（１）
ただし、
ｆｔ：望遠端における全系の焦点距離、
ｆ１：前記第１レンズ群の焦点距離、
である。
【請求項２】
前記第２レンズ群は、以下の条件式（２）を満足する少なくとも１つの接合レンズを有する、請求項１に記載のズームレンズ；
ｎｄ２ｐ−ｎｄ２ｎ≧０．１  …（２）
ただし、
ｎｄ２ｐ：前記第２レンズ群内の前記接合レンズを構成する正レンズのｄ線に対する屈折率、
ｎｄ２ｎ：前記第２レンズ群内の前記接合レンズを構成する負レンズのｄ線に対する屈折率、
である。
【請求項３】
前記第４レンズ群から像側のレンズ群は、以下の条件式（３）を満足する少なくとも３つの正レンズを有する、請求項１または請求項２に記載のズームレンズ；
νｄｐ≧６０  …（３）
ただし、
νｄｐ：前記第４レンズ群から像側に配置される正レンズのアッベ数、
である。
【請求項４】
前記第４レンズ群は、以下の条件式（４）を満足する、請求項１から請求項３のいずれか１項に記載のズームレンズ；
０．６≦ｆ４／ｆｔ≦１．６  …（４）
ただし、
ｆ４：前記第４レンズ群の焦点距離、
である。
【請求項５】
遠距離物体から近距離物体へのフォーカシングにおいて、前記第５レンズ群が光軸上を移動し、
以下の条件式（５）を満足する、請求項１から請求項４のいずれか１項に記載のズームレンズ；
−２．０≦ｆ５／ｆ６≦−０．５  …（５）
ただし、
ｆ５：前記第５レンズ群の焦点距離、
ｆ６：前記第６レンズ群の焦点距離、
である。
【請求項６】
前記第１レンズ群は、一枚の正レンズから構成される、請求項１から請求項５のいずれか１項に記載のズームレンズ。
【請求項７】
請求項１から請求項６のいずれか１項に記載のズームレンズと、
受光面上に形成された光学像を電気的な信号に変換する撮像素子とを備え、
前記撮像素子の前記受光面上に被写体の光学像が形成されるように、前記ズームレンズが設けられている、撮像光学装置。
【請求項８】
請求項７に記載の撮像光学装置を備え、
被写体の静止画撮影および被写体の動画撮影のうちの少なくとも一方の機能を有する、デジタル機器。
【発明の詳細な説明】
【技術分野】
【０００１】
本開示は、ズームレンズ、撮像光学装置およびデジタル機器に関する。
【背景技術】
【０００２】
小さいＦ値（たとえばＦ２．８程度）を有する種々のズームレンズが従来より提案されている。たとえば特開２０１４−１０６２４３号公報（特許文献１）および特開２０１６−１０９７２０号公報（特許文献２）は、物体側から順に、正の屈折力を有する第１レンズ群、負の屈折力を有する第２レンズ群、正の屈折力を有する第３レンズ群、負の屈折力を有する第４レンズ群、および正の屈折力を有する第５レンズ群からなるズームレンズを開示する。
【先行技術文献】
【特許文献】
【０００３】
【特許文献１】特開２０１４−１０６２４３号公報
【特許文献２】特開２０１６−１０９７２０号公報
【発明の概要】
【発明が解決しようとする課題】
【０００４】
近年のズームレンズには、広角化、高解像力のみならず、単焦点なみの明るさに対する要望も強くなってきている。特開２０１４−１０６２４３号公報（特許文献１）および特開２０１６−１０９７２０号公報（特許文献２）は、２．８程度のＦ値を有するズームレンズを開示する。これらの文献に開示されたズームレンズは５群構成を有する。５群構成のズームレンズでは、Ｆ値が小さくなるほど変倍による球面収差およびコマ収差の変動が大きくなるため、ズーム全域で収差を良好に補正することは困難である。
【０００５】
本発明はこのような課題に鑑みてなされたものであって、その目的は、広角端での広い画角およびズーム全域での小さいＦ値を有するとともに、収差が良好に補正されたズームレンズ、およびそのズームレンズを備えた撮像光学装置及びデジタル機器を提供することである。
【課題を解決するための手段】
【０００６】
本開示のある局面に従うと、ズームレンズは、物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、正の屈折力を有する第６レンズ群とからなり、変倍時に、第１レンズ群、第２レンズ群、第３レンズ群、第４レンズ群、第５レンズ群および第６レンズ群のうちの隣り合う２つのレンズ群の間隔が変化し、以下の条件式（１）を満足する。
０＜ｆｔ／ｆ１≦０．４２  …（１）
ただし、
ｆｔ：望遠端における全系の焦点距離、
ｆ１：第１レンズ群の焦点距離、
である。
【０００７】
好ましくは、第２レンズ群は、以下の条件式（２）を満足する少なくとも１つの接合レンズを有する。
ｎｄ２ｐ−ｎｄ２ｎ≧０．１  …（２）
ただし、
ｎｄ２ｐ：第２レンズ群内の接合レンズを構成する正レンズのｄ線に対する屈折率、
ｎｄ２ｎ：第２レンズ群内の接合レンズを構成する負レンズのｄ線に対する屈折率、
である。
【０００８】
好ましくは、第４レンズ群から像側のレンズ群は、以下の条件式（３）を満足する少なくとも３つの正レンズを有する。
νｄｐ≧６０  …（３）
ただし、
νｄｐ：第４レンズ群から像側に配置される正レンズのアッベ数、
である。
【０００９】
好ましくは、第４レンズ群は以下の条件式（４）を満足する。
０．６≦ｆ４／ｆｔ≦１．６  …（４）
ただし、
ｆ４：第４レンズ群の焦点距離、
である。
【００１０】
好ましくは、遠距離物体から近距離物体へのフォーカシングにおいて、第５レンズ群が光軸上を移動し、以下の条件式（５）を満足する。
−２．０≦ｆ５／ｆ６≦−０．５  …（５）
ただし、
ｆ５：第５レンズ群の焦点距離、
ｆ６：第６レンズ群の焦点距離、
である。
【００１１】
好ましくは、第１レンズ群は一枚の正レンズから構成される。
【００１２】
本開示の他の局面に従うと、撮像光学装置は、上記のいずれかのズームレンズと、受光面上に形成された光学像を電気的な信号に変換する撮像素子とを備え、撮像素子の受光面上に被写体の光学像が形成されるように、ズームレンズが設けられている。
【００１３】
本開示の他の局面に従うと、デジタル機器は、上記の撮像光学装置を備え、被写体の静止画撮影および被写体の動画撮影のうちの少なくとも一方の機能を有する。
【発明の効果】
【００１４】
本開示によれば、広角端での広い画角およびズーム全域での小さいＦ値を有するとともに、収差が良好に補正されたズームレンズ、およびそのズームレンズを備えた撮像光学装置及びデジタル機器を提供することができる。
【図面の簡単な説明】
【００１５】
【図１】第１の実施の形態に係るズームレンズの構成を示す図である。
【図２】第２の実施の形態に係るズームレンズの構成を示す図である。
【図３】第３の実施の形態に係るズームレンズの構成を示す図である。
【図４】第４の実施の形態に係るズームレンズの構成を示す図である。
【図５】第５の実施の形態に係るズームレンズの構成を示す図である。
【図６】第６の実施の形態に係るズームレンズの構成を示す図である。
【図７】第７の実施の形態に係るズームレンズの構成を示す図である。
【図８】第８の実施の形態に係るズームレンズの構成を示す図である。
【図９】実施例１の縦収差図である。
【図１０】実施例２の縦収差図である。
【図１１】実施例３の縦収差図である。
【図１２】実施例４の縦収差図である。
【図１３】実施例５の縦収差図である。
【図１４】実施例６の縦収差図である。
【図１５】実施例７の縦収差図である。
【図１６】実施例８の縦収差図である。
【図１７】本実施の形態に係るズームレンズを備えた撮像光学装置およびデジタル機器の概略構成図である。
【発明を実施するための形態】
【００１６】
以下に、図面を参照しつつ、本発明の一実施形態について説明する。本発明の実施の形態に係るズームレンズは、物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、正の屈折力を有する第６レンズ群とからなり、変倍時に、第１レンズ群、第２レンズ群、第３レンズ群、第４レンズ群、第５レンズ群および第６レンズ群のうちの隣り合う２つのレンズ群の間隔が変化し、以下の条件式（１）を満足する。
０＜ｆｔ／ｆ１≦０．４２  …（１）
ただし、
ｆｔ：望遠端における全系の焦点距離、
ｆ１：第１レンズ群の焦点距離、
である。
【００１７】
上記ズームレンズは、パワー配置が、物体側から順に正、負、正、正、負、正となる６群構成により構成される。変倍時に、隣り合う２つのレンズ群の間隔が変化する。したがって５群構成のズームレンズよりも、変倍による収差変動を抑制することができる。
【００１８】
条件式（１）は、第１レンズ群の焦点距離を適切に設定して、広角端における広角化を実現するとともに広い変倍領域にわたり良好に収差を補正するための条件を規定している。ｆｔ／ｆ１の値が条件式（１）の下限を下回ると、第１レンズ群のパワーが不足することにより、広角端における最大像高などの広画角域における歪曲補正が困難になる。さらに、第１レンズ群のパワーが不足することにより、後続のレンズ群（すなわち第２レンズ群以降のレンズ群）のレンズ径を大きくする必要がある。しかし、レンズ径を大きくするとレンズ全体の重量が増大する。一方、ｆｔ／ｆ１の値が条件式（１）の上限を上回ると、第１レンズ群のパワーが強くなりすぎるため、特に望遠端において、第１レンズ群で発生する球面収差およびコマ収差が増大する。これらの収差を補正するためには、第１レンズ群内の正レンズに、屈折率の高い硝材を使用するのが効果的である。しかし、高い屈折率を持つ硝材を第１レンズ群内の正レンズに使用すると分散が高くなるので、特に望遠端における軸上色収差の補正が困難になる。さらに、広角端における画角の広角化が不十分となる。ｆｔ／ｆ１の値が条件式（１）を満たすことにより、広角端で８０°を超える画角を有し、かつ、ズーム全域でＦ２．２以下のＦ値を得ることができるとともに、収差を良好に補正することができる。
【００１９】
本実施の形態において、ｆｔ／ｆ１が以下の条件式（１ａ）を満足することが好ましい。
０＜ｆｔ／ｆ１≦０．３  …（１ａ）
ただし、
ｆｔ：望遠端における全系の焦点距離、
ｆ１：第１レンズ群の焦点距離、
である。
【００２０】
条件式（１ａ）は、前記条件式（１）が規定している条件範囲のなかでも、更に好ましい条件範囲を規定している。したがって、ｆｔ／ｆ１の値が条件式（１ａ）を満たすことにより、上記効果をより一層大きくすることができる。
【００２１】
本実施の形態において、ｆｔ／ｆ１が以下の条件式（１ｂ）を満足することがより好ましい。
０＜ｆｔ／ｆ１≦０．２  …（１ｂ）
ただし、
ｆｔ：望遠端における全系の焦点距離、
ｆ１：第１レンズ群の焦点距離、
である。
【００２２】
条件式（１ｂ）は、前記条件式（１ａ）が規定している条件範囲よりも好ましい条件範囲を規定している。したがって、ｆｔ／ｆ１の値が条件式（１ｂ）を満たすことにより、上記効果をより一層大きくすることができる。
【００２３】
本実施の形態において、第２レンズ群は、以下の条件式（２）を満足する少なくとも１つの接合レンズを有することが好ましい。
ｎｄ２ｐ−ｎｄ２ｎ≧０．１  …（２）
ただし、
ｎｄ２ｐ：第２レンズ群内の接合レンズを構成する正レンズのｄ線に対する屈折率、
ｎｄ２ｎ：第２レンズ群内の接合レンズを構成する負レンズのｄ線に対する屈折率、
である。
【００２４】
条件式（２）は、第２レンズ群に、屈折率差の大きい少なくとも１つの接合面を配置することにより、広角端におけるコマ収差と、望遠端における球面収差とを補正するための条件を規定している。（ｎｄ２ｐ−ｎｄ２ｎ）の値が条件式（２）の下限を下回ると、ｎｄ２ｐとｎｄ２ｎとの差が小さくなるので、広角端におけるコマ収差、および、望遠端における球面収差の少なくとも一方の補正が不十分となる可能性がある。
【００２５】
本実施の形態において、（ｎｄ２ｐ−ｎｄ２ｎ）の値は、以下の条件式（２ｂ）を満足することが好ましい。
ｎｄ２ｐ−ｎｄ２ｎ≧０．１５  …（２ａ）
ただし、
ｎｄ２ｐ：第２レンズ群内の接合レンズを構成する正レンズのｄ線に対する屈折率、
ｎｄ２ｎ：第２レンズ群内の接合レンズを構成する負レンズのｄ線に対する屈折率、
である。
【００２６】
条件式（２ａ）は、前記条件式（２）が規定している条件範囲のなかでも、更に好ましい条件範囲を規定している。したがって、（ｎｄ２ｐ−ｎｄ２ｎ）の値が条件式（２ａ）を満たすことにより、上記効果をより一層大きくすることができる。
【００２７】
本実施の形態において、（ｎｄ２ｐ−ｎｄ２ｎ）の値は、以下の条件式（２ｂ）を満足することがより好ましい。
ｎｄ２ｐ−ｎｄ２ｎ≧０．２５  …（２ａ）
ただし、
ｎｄ２ｐ：第２レンズ群内の接合レンズを構成する正レンズのｄ線に対する屈折率、
ｎｄ２ｎ：第２レンズ群内の接合レンズを構成する負レンズのｄ線に対する屈折率、
である。
【００２８】
条件式（２ｂ）は、前記条件式（２ａ）が規定している条件範囲よりも好ましい条件範囲を規定している。したがって、（ｎｄ２ｐ−ｎｄ２ｎ）の値が条件式（２ｂ）を満たすことにより、上記効果をより一層大きくすることができる。
【００２９】
本実施の形態において、第４レンズ群から像側のレンズ群は、以下の条件式（３）を満足する少なくとも３つの正レンズを有する。
νｄｐ≧６０  …（３）
ただし、
νｄｐ：第４レンズ群から像側に配置される正レンズのアッベ数、
である。
【００３０】
第４レンズ群から像側に配置されるレンズ群の中に、条件式（３）を満足する少なくとも３つの正レンズを配置することにより、軸上色収差および倍率色収差を良好に補正することが可能となる。
【００３１】
本実施の形態において、上記少なくとも３つの正レンズの各々が以下の条件式（３ａ）を満足することが好ましい。
νｄｐ≧６５  …（３ａ）
ただし、
νｄｐ：第４レンズ群から像側に配置される正レンズのアッベ数、
である。
【００３２】
条件式（３ａ）は、前記条件式（３）が規定している条件範囲のなかでも、更に好ましい条件範囲を規定している。したがって、νｄｐの値が条件式（３ａ）を満たすことにより、上記効果をより一層大きくすることができる。
【００３３】
本実施の形態において、第４レンズ群は以下の条件式（４）を満足することが好ましい。
０．６≦ｆ４／ｆｔ≦１．６  …（４）
ただし、
ｆ４：第４レンズ群の焦点距離、
である。
【００３４】
条件式（４）は、第４レンズ群の焦点距離を適切に設定し、広角端における広角化を実現するとともに広い変倍領域にわたり良好に収差を補正するための条件を規定している。ｆ４／ｆｔの値が条件式（４）の下限を下回ると、第４レンズ群のパワーが強くなりすぎるために、主に変倍時における球面収差の変動が大きくなる。一方、ｆ４／ｆｔの値が条件式（４）の上限を上回ると、第４レンズ群のパワーが弱くなりすぎるため、第２レンズ群の負のパワーも弱くする必要がある。しかし、第２レンズ群の負のパワーが減少すると、広角端における広角化が困難となる。
【００３５】
本実施の形態において、ｆ４／ｆｔが以下の条件式（４ａ）を満足することが好ましい。
０．８≦ｆ４／ｆｔ≦１．５  …（４ａ）
ただし、
ｆ４：第４レンズ群の焦点距離、
である。
【００３６】
条件式（４ａ）は、前記条件式（４）が規定している条件範囲のなかでも、更に好ましい条件範囲を規定している。したがって、ｆ４／ｆｔの値が条件式（４ａ）を満たすことにより、上記効果をより一層大きくすることができる。
【００３７】
本実施の形態において、遠距離物体から近距離物体へのフォーカシングにおいて第５レンズ群が光軸上を移動するとともにし、以下の条件式（５）を満足することが好ましい。
−２．０≦ｆ５／ｆ６≦−０．５  …（５）
ただし、
ｆ５：第５レンズ群の焦点距離、
ｆ６：第６レンズ群の焦点距離、
である。
【００３８】
条件式（５）は、第５レンズ群の焦点距離と第６レンズ群の焦点距離の比を適切に設定して、フォーカシングによる収差変動を抑制するための条件式である。負の屈折力を有する第５レンズ群が移動することで発生する収差を、正の屈折力を有する第６レンズ群によって補正する。ｆ５／ｆ６が条件式（５）の下限を下回ると、第６レンズ群に対する第５レンズ群のパワーが弱くなり過ぎるため、フォーカシング時に第５レンズ群で発生する像面湾曲などの変動に対し、第６レンズ群による収差の補正が過剰となる。一方、ｆ５／ｆ６が条件式（５）の上限を上回ると、第６レンズ群に対する第５レンズ群のパワーが強くなり過ぎるので、フォーカシング時に第５レンズ群で発生する像面湾曲などの変動に対して第６レンズ群による収差の補正が不十分となる。
【００３９】
本実施の形態において、ｆ５／ｆ６が以下の条件式（５ａ）を満足することが好ましい。
−１．７≦ｆ５／ｆ６≦−０．８  …（５ａ）
ただし、
ｆ５：第５レンズ群の焦点距離、
ｆ６：第６レンズ群の焦点距離、
である。
【００４０】
条件式（５ａ）は、前記条件式（５）が規定している条件範囲のなかでも、更に好ましい条件範囲を規定している。したがって、ｆ５／ｆ６の値が条件式（５ａ）を満たすことにより、上記効果をより一層大きくすることができる。
【００４１】
本実施の形態において、第１レンズ群は１枚の正レンズから構成されることが好ましい。
【００４２】
広角端の画角が広い（たとえば広角端の画角が８０°を超える）ズームレンズの第１レンズ群では、レンズ径が非常に大きくなりやすい。第１レンズ群を一枚の正レンズによって構成することにより、ズームレンズ全体の軽量化を達成することができる。
【００４３】
＜本発明の実施の形態に係るズームレンズの具体的な光学構成＞
図１〜図８は、第１〜第８の実施の形態に係るズームレンズＬＮの構成をそれぞれ示すレンズ構成図である。図１〜図８において、第１〜第８の実施の形態を「ＥＸ１」〜「ＥＸ８」とそれぞれ表記する。また、図１〜図８の各々において、（Ａ）は広角端（ＷＩＤＥ）、（Ｂ）は中間焦点距離状態（ＭＩＤＤＬＥ）、（Ｃ）は望遠端（ＴＥＬＥ）におけるレンズ断面図であり、「ＡＸ」は光軸を指す。（Ａ）、（Ｂ）および（Ｃ）のいずれも、無限遠物体合焦時のレンズ断面図である。
【００４４】
（第１の実施の形態）
図１に示されるように、第１の実施の形態に係るズームレンズＬＮは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とからなる。変倍時には、第１レンズ群Ｇ１、第２レンズ群Ｇ２、第３レンズ群Ｇ３、第４レンズ群Ｇ４、第５レンズ群Ｇ５および第６レンズ群Ｇ６のうちの隣り合う２つのレンズ群の間隔が変化する。第６レンズ群が固定され、第１〜第５のレンズ群が移動する。遠距離物体から近距離物体へのフォーカシングの際には、光軸ＡＸに沿って、第５レンズ群Ｇ５を像面ＩＭ側に移動させる。
【００４５】
図１に記載された矢印は広角端から望遠端への変倍に際しての各レンズ群の移動軌跡を示す。フォーカスに関する矢印は遠距離物体から近距離物体へのフォーカシングに際してのレンズ群の移動方向を示している（図２〜図８においても同様）。
【００４６】
第１レンズ群Ｇ１は、１枚の正レンズ１１により構成される。正レンズ１１は、物体側に凸面を向けた正メニスカスレンズである。
【００４７】
第２レンズ群Ｇ２は、物体側に凸面を向けた負メニスカスレンズ２１と、物体側に凸面を向けた負メニスカスレンズ２２と、両凹の負レンズ２３と、正レンズ２４とからなる。負レンズ２３と、正レンズ２４とが接合されて接合レンズを構成する。第１の実施の形態では、正レンズ２４は、両凸レンズである。
【００４８】
第３レンズ群Ｇ３は、物体側に凸面を向けた負メニスカスレンズ３１、および物体側に凸面を向けた正メニスカスレンズ３２とにより構成される。負メニスカスレンズ３１と正メニスカスレンズ３２とが接合されて接合レンズを構成する。
【００４９】
第４レンズ群Ｇ４は、両凸の正レンズ４１と、両凹の負レンズ４２と、両凸の正レンズ４３と、両凸の正レンズ４４と、物体側に凸面を向けた負メニスカスレンズ４５と、正レンズ４６とにより構成される。負レンズ４２と、正レンズ４３とが接合されて接合レンズを構成する。負メニスカスレンズ４５と、正レンズ４６とが接合されて接合レンズを構成する。第１の実施の形態では、正レンズ４６は、物体側に凸面を向けた正メニスカスレンズである。正レンズ４１と負レンズ４２との間に開口絞りＳＴが配置されている。
【００５０】
第５レンズ群Ｇ５は、物体側に凸面を向けた負メニスカスレンズ５１および物体側に凸面を向けた正メニスカスレンズ５２により構成される。負メニスカスレンズ５１と正メニスカスレンズ５２とが接合されて接合レンズを構成する。
【００５１】
第６レンズ群Ｇ６は、両凸の正レンズ６１と、負レンズ６２とにより構成される。第１の実施の形態では、負レンズ６２は、物体側に凹の凹平レンズである。
【００５２】
（第２の実施の形態）
図２に示されるように、第２の実施の形態に係るズームレンズＬＮは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とからなる。変倍時には、第１レンズ群Ｇ１、第２レンズ群Ｇ２、第３レンズ群Ｇ３、第４レンズ群Ｇ４、第５レンズ群Ｇ５および第６レンズ群Ｇ６のうちの隣り合う２つのレンズ群の間隔が変化する。第６レンズ群が固定され、第１〜第５のレンズ群が移動する。遠距離物体から近距離物体へのフォーカシングの際には、光軸ＡＸに沿って、第５レンズ群Ｇ５を像面ＩＭ側に移動させる。
【００５３】
第１レンズ群Ｇ１は、１枚の正レンズ１１により構成される。正レンズ１１は、物体側に凸面を向けた正メニスカスレンズである。
【００５４】
第２レンズ群Ｇ２は、物体側に凸面を向けた負メニスカスレンズ２１と、物体側に凸面を向けた負メニスカスレンズ２２と、両凹の負レンズ２３と、正レンズ２４とからなる。負レンズ２３と、正レンズ２４とが接合されて接合レンズを構成する。第２の実施の形態では、正レンズ２４は、物体側に凸面を向けた凸平レンズである。
【００５５】
第３レンズ群Ｇ３は、物体側に凸面を向けた負メニスカスレンズ３１、および物体側に凸面を向けた正メニスカスレンズ３２とにより構成される。負メニスカスレンズ３１と正メニスカスレンズ３２とが接合されて接合レンズを構成する。
【００５６】
第４レンズ群Ｇ４は、両凸の正レンズ４１と、両凹の負レンズ４２と、両凸の正レンズ４３と、両凸の正レンズ４４と、物体側に凸面を向けた負メニスカスレンズ４５と、正レンズ４６とにより構成される。負レンズ４２と、正レンズ４３とが接合されて接合レンズを構成する。負メニスカスレンズ４５と、正レンズ４６とが接合されて接合レンズを構成する。第２の実施の形態では、正レンズ４６は、両凸レンズである。正レンズ４１と負レンズ４２との間に開口絞りＳＴが配置されている。
【００５７】
第５レンズ群Ｇ５は、物体側に凸面を向けた負メニスカスレンズ５１および物体側に凸面を向けた正メニスカスレンズ５２により構成される。負メニスカスレンズ５１と正メニスカスレンズ５２とが接合されて接合レンズを構成する。
【００５８】
第６レンズ群Ｇ６は、両凸の正レンズ６１と、負レンズ６２とにより構成される。第２の実施の形態では、負レンズ６２は、物体側に凸面を向けた負メニスカスレンズである。
【００５９】
（第３の実施の形態）
図３に示されるように、第３の実施の形態に係るズームレンズＬＮは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とからなる。変倍時には、第１レンズ群Ｇ１、第２レンズ群Ｇ２、第３レンズ群Ｇ３、第４レンズ群Ｇ４、第５レンズ群Ｇ５および第６レンズ群Ｇ６のうちの隣り合う２つのレンズ群の間隔が変化する。第６レンズ群が固定され、第１〜第５のレンズ群が移動する。遠距離物体から近距離物体へのフォーカシングの際には、光軸ＡＸに沿って、第５レンズ群Ｇ５を像面ＩＭ側に移動させる。
【００６０】
第１レンズ群Ｇ１は、１枚の正レンズ１１により構成される。正レンズ１１は、物体側に凸面を向けた正メニスカスレンズである。
【００６１】
第２レンズ群Ｇ２は、物体側に凸面を向けた負メニスカスレンズ２１と、物体側に凸面を向けた負メニスカスレンズ２２と、両凹の負レンズ２３と、正レンズ２４とからなる。負レンズ２３と、正レンズ２４とが接合されて接合レンズを構成する。第３の実施の形態では、正レンズ２４は、物体側に凸面を向けた正メニスカスレンズである。
【００６２】
第３レンズ群Ｇ３は、物体側に凸面を向けた負メニスカスレンズ３１、および物体側に凸面を向けた正メニスカスレンズ３２とにより構成される。負メニスカスレンズ３１と正メニスカスレンズ３２とが接合されて接合レンズを構成する。
【００６３】
第４レンズ群Ｇ４は、両凸の正レンズ４１と、両凹の負レンズ４２と、両凸の正レンズ４３と、両凸の正レンズ４４と、物体側に凸面を向けた負メニスカスレンズ４５と、正レンズ４６とにより構成される。負レンズ４２と、正レンズ４３とが接合されて接合レンズを構成する。負メニスカスレンズ４５と、正レンズ４６とが接合されて接合レンズを構成する。第３の実施の形態では、正レンズ４６は、物体側に凸面を向けた正メニスカスレンズである。正レンズ４１と負レンズ４２との間に開口絞りＳＴが配置されている。
【００６４】
第５レンズ群Ｇ５は、物体側に凸面を向けた負メニスカスレンズ５１および物体側に凸面を向けた正メニスカスレンズ５２により構成される。負メニスカスレンズ５１と正メニスカスレンズ５２とが接合されて接合レンズを構成する。
【００６５】
第６レンズ群Ｇ６は、両凸の正レンズ６１と、負レンズ６２とにより構成される。第１の実施の形態では、負レンズ６２は、物体側に凹の凹平レンズである。
【００６６】
（第４の実施の形態）
図４に示されるように、第４の実施の形態に係るズームレンズＬＮは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とからなる。変倍時には、第１レンズ群Ｇ１、第２レンズ群Ｇ２、第３レンズ群Ｇ３、第４レンズ群Ｇ４、第５レンズ群Ｇ５および第６レンズ群Ｇ６のうちの隣り合う２つのレンズ群の間隔が変化する。第６レンズ群が固定され、第１〜第５のレンズ群が移動する。遠距離物体から近距離物体へのフォーカシングの際には、光軸ＡＸに沿って、第５レンズ群Ｇ５を像面ＩＭ側に移動させる。
【００６７】
第１レンズ群Ｇ１は、１枚の正レンズ１１により構成される。正レンズ１１は、物体側に凸面を向けた正メニスカスレンズである。
【００６８】
第２レンズ群Ｇ２は、物体側に凸面を向けた負メニスカスレンズ２１と、物体側に凸面を向けた負メニスカスレンズ２２と、両凹の負レンズ２３と、正レンズ２４とからなる。負レンズ２３と、正レンズ２４とが接合されて接合レンズを構成する。第４の実施の形態では、正レンズ２４は、両凸レンズである。
【００６９】
第３レンズ群Ｇ３は、物体側に凸面を向けた負メニスカスレンズ３１、および物体側に凸面を向けた正メニスカスレンズ３２とにより構成される。負メニスカスレンズ３１と正メニスカスレンズ３２とが接合されて接合レンズを構成する。
【００７０】
第４レンズ群Ｇ４は、両凸の正レンズ４１と、両凹の負レンズ４２と、両凸の正レンズ４３と、両凸の正レンズ４４と、物体側に凸面を向けた負メニスカスレンズ４５と、正レンズ４６とにより構成される。負レンズ４２と、正レンズ４３とが接合されて接合レンズを構成する。負メニスカスレンズ４５と、正レンズ４６とが接合されて接合レンズを構成する。第４の実施の形態では、正レンズ４６は、物体側に凸面を向けた正メニスカスレンズである。正レンズ４１と負レンズ４２との間に開口絞りＳＴが配置されている。
【００７１】
第５レンズ群Ｇ５は、物体側に凸面を向けた負メニスカスレンズ５１および物体側に凸面を向けた正メニスカスレンズ５２により構成される。負メニスカスレンズ５１と正メニスカスレンズ５２とが接合されて接合レンズを構成する。
【００７２】
第６レンズ群Ｇ６は、両凸の正レンズ６１と、負レンズ６２とにより構成される。第１の実施の形態では、負レンズ６２は、物体側に凸面を向けた負メニスカスレンズである。
【００７３】
（第５の実施の形態）
図５に示されるように、第５の実施の形態に係るズームレンズＬＮは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とからなる。変倍時には、第１レンズ群Ｇ１、第２レンズ群Ｇ２、第３レンズ群Ｇ３、第４レンズ群Ｇ４、第５レンズ群Ｇ５および第６レンズ群Ｇ６のうちの隣り合う２つのレンズ群の間隔が変化する。第６レンズ群が固定され、第１〜第５のレンズ群が移動する。遠距離物体から近距離物体へのフォーカシングの際には、光軸ＡＸに沿って、第５レンズ群Ｇ５を像面ＩＭ側に移動させる。
【００７４】
第１レンズ群Ｇ１は、１枚の正レンズ１１により構成される。正レンズ１１は、物体側に凸面を向けた正メニスカスレンズである。
【００７５】
第２レンズ群Ｇ２は、物体側に凸面を向けた負メニスカスレンズ２１と、物体側に凸面を向けた負メニスカスレンズ２２と、両凹の負レンズ２３と、正レンズ２４とからなる。負レンズ２３と、正レンズ２４とが接合されて接合レンズを構成する。第５の実施の形態では、正レンズ２４は、両凸レンズである。
【００７６】
第３レンズ群Ｇ３は、物体側に凸面を向けた負メニスカスレンズ３１、および物体側に凸面を向けた正メニスカスレンズ３２とにより構成される。負メニスカスレンズ３１と正メニスカスレンズ３２とが接合されて接合レンズを構成する。
【００７７】
第４レンズ群Ｇ４は、両凸の正レンズ４１と、両凹の負レンズ４２と、両凸の正レンズ４３と、両凸の正レンズ４４と、物体側に凸面を向けた負メニスカスレンズ４５と、正レンズ４６とにより構成される。負レンズ４２と、正レンズ４３とが接合されて接合レンズを構成する。負メニスカスレンズ４５と、正レンズ４６とが接合されて接合レンズを構成する。第５の実施の形態では、正レンズ４６は、物体側に凸面を向けた正メニスカスレンズである。正レンズ４１と負レンズ４２との間に開口絞りＳＴが配置されている。
【００７８】
第５レンズ群Ｇ５は、物体側に凸面を向けた負メニスカスレンズ５１および物体側に凸面を向けた正メニスカスレンズ５２により構成される。負メニスカスレンズ５１と正メニスカスレンズ５２とが接合されて接合レンズを構成する。
【００７９】
第６レンズ群Ｇ６は、両凸の正レンズ６１と、負レンズ６２とにより構成される。第５の実施の形態では、負レンズ６２は、物体側に凹の凹平レンズである。
【００８０】
（第６の実施の形態）
図６に示されるように、第６の実施の形態に係るズームレンズＬＮは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とからなる。変倍時には、第１レンズ群Ｇ１、第２レンズ群Ｇ２、第３レンズ群Ｇ３、第４レンズ群Ｇ４、第５レンズ群Ｇ５および第６レンズ群Ｇ６のうちの隣り合う２つのレンズ群の間隔が変化する。第６レンズ群が固定され、第１〜第５のレンズ群が移動する。遠距離物体から近距離物体へのフォーカシングの際には、光軸ＡＸに沿って、第５レンズ群Ｇ５を像面ＩＭ側に移動させる。
【００８１】
第１レンズ群Ｇ１は、１枚の正レンズ１１により構成される。正レンズ１１は、物体側に凸面を向けた正メニスカスレンズである。
【００８２】
第２レンズ群Ｇ２は、物体側に凸面を向けた負メニスカスレンズ２１と、物体側に凸面を向けた負メニスカスレンズ２２と、両凹の負レンズ２３と、正レンズ２４とからなる。負レンズ２３と、正レンズ２４とが接合されて接合レンズを構成する。第６の実施の形態では、正レンズ２４は、両凸レンズである。
【００８３】
第３レンズ群Ｇ３は、物体側に凸面を向けた負メニスカスレンズ３１、および物体側に凸面を向けた正メニスカスレンズ３２とにより構成される。負メニスカスレンズ３１と正メニスカスレンズ３２とが接合されて接合レンズを構成する。
【００８４】
第４レンズ群Ｇ４は、両凸の正レンズ４１と、両凹の負レンズ４２と、両凸の正レンズ４３と、両凸の正レンズ４４と、物体側に凸面を向けた負メニスカスレンズ４５と、正レンズ４６とにより構成される。負レンズ４２と、正レンズ４３とが接合されて接合レンズを構成する。負メニスカスレンズ４５と、正レンズ４６とが接合されて接合レンズを構成する。第６の実施の形態では、正レンズ４６は、物体側に凸面を向けた正メニスカスレンズである。正レンズ４１と負レンズ４２との間に開口絞りＳＴが配置されている。
【００８５】
第５レンズ群Ｇ５は、物体側に凸面を向けた負メニスカスレンズ５１および物体側に凸面を向けた正メニスカスレンズ５２により構成される。負メニスカスレンズ５１と正メニスカスレンズ５２とが接合されて接合レンズを構成する。
【００８６】
第６レンズ群Ｇ６は、両凸の正レンズ６１と、負レンズ６２とにより構成される。第６の実施の形態では、負レンズ６２は、物体側に凸面を向けた負メニスカスレンズである。
【００８７】
（第７の実施の形態）
図７に示されるように、第７の実施の形態に係るズームレンズＬＮは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とからなる。変倍時には、第１レンズ群Ｇ１、第２レンズ群Ｇ２、第３レンズ群Ｇ３、第４レンズ群Ｇ４、第５レンズ群Ｇ５および第６レンズ群Ｇ６のうちの隣り合う２つのレンズ群の間隔が変化する。第６レンズ群が固定され、第１〜第５のレンズ群が移動する。遠距離物体から近距離物体へのフォーカシングの際には、光軸ＡＸに沿って、第５レンズ群Ｇ５を像面ＩＭ側に移動させる。
【００８８】
第１レンズ群Ｇ１は、１枚の正レンズ１１により構成される。正レンズ１１は、物体側に凸面を向けた正メニスカスレンズである。
【００８９】
第２レンズ群Ｇ２は、物体側に凸面を向けた負メニスカスレンズ２１と、物体側に凸面を向けた負メニスカスレンズ２２と、両凹の負レンズ２３と、正レンズ２４とからなる。負レンズ２３と、正レンズ２４とが接合されて接合レンズを構成する。第７の実施の形態では、正レンズ２４は、物体側に凸面を向けた凸平レンズである。
【００９０】
第３レンズ群Ｇ３は、物体側に凸面を向けた負メニスカスレンズ３１、および物体側に凸面を向けた正メニスカスレンズ３２とにより構成される。負メニスカスレンズ３１と正メニスカスレンズ３２とが接合されて接合レンズを構成する。
【００９１】
第４レンズ群Ｇ４は、両凸の正レンズ４１と、両凹の負レンズ４２と、両凸の正レンズ４３と、両凸の正レンズ４４と、物体側に凸面を向けた負メニスカスレンズ４５と、正レンズ４６とにより構成される。負レンズ４２と、正レンズ４３とが接合されて接合レンズを構成する。負メニスカスレンズ４５と、正レンズ４６とが接合されて接合レンズを構成する。第７の実施の形態では、正レンズ４６は、物体側に凸面を向けた凸平レンズである。正レンズ４１と負レンズ４２との間に開口絞りＳＴが配置されている。
【００９２】
第５レンズ群Ｇ５は、物体側に凸面を向けた負メニスカスレンズ５１および物体側に凸面を向けた正メニスカスレンズ５２により構成される。負メニスカスレンズ５１と正メニスカスレンズ５２とが接合されて接合レンズを構成する。
【００９３】
第６レンズ群Ｇ６は、両凸の正レンズ６１と、負レンズ６２とにより構成される。第７の実施の形態では、負レンズ６２は、物体側に凸面を向けた負メニスカスレンズである。
【００９４】
（第８の実施の形態）
図８に示されるように、第８の実施の形態に係るズームレンズＬＮは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とからなる。変倍時には、第１レンズ群Ｇ１、第２レンズ群Ｇ２、第３レンズ群Ｇ３、第４レンズ群Ｇ４、第５レンズ群Ｇ５および第６レンズ群Ｇ６のうちの隣り合う２つのレンズ群の間隔が変化する。第６レンズ群が固定され、第１〜第５のレンズ群が移動する。遠距離物体から近距離物体へのフォーカシングの際には、光軸ＡＸに沿って、第５レンズ群Ｇ５を像面ＩＭ側に移動させる。
【００９５】
第１レンズ群Ｇ１は、１枚の正レンズ１１により構成される。正レンズ１１は、物体側に凸面を向けた正メニスカスレンズである。
【００９６】
第２レンズ群Ｇ２は、物体側に凸面を向けた負メニスカスレンズ２１と、物体側に凸面を向けた負メニスカスレンズ２２と、両凹の負レンズ２３と、正レンズ２４とからなる。負レンズ２３と、正レンズ２４とが接合されて接合レンズを構成する。第８の実施の形態では、正レンズ２４は、物体側に凸面を向けた凸平レンズである。
【００９７】
第３レンズ群Ｇ３は、物体側に凸面を向けた負メニスカスレンズ３１、および物体側に凸面を向けた正メニスカスレンズ３２とにより構成される。負メニスカスレンズ３１と正メニスカスレンズ３２とが接合されて接合レンズを構成する。
【００９８】
第４レンズ群Ｇ４は、両凸の正レンズ４１と、両凹の負レンズ４２と、両凸の正レンズ４３と、両凸の正レンズ４４と、物体側に凸面を向けた負メニスカスレンズ４５と、正レンズ４６とにより構成される。負レンズ４２と、正レンズ４３とが接合されて接合レンズを構成する。負メニスカスレンズ４５と、正レンズ４６とが接合されて接合レンズを構成する。第８の実施の形態では、正レンズ４６は、両凸レンズである。正レンズ４１と負レンズ４２との間に開口絞りＳＴが配置されている。
【００９９】
第５レンズ群Ｇ５は、物体側に凸面を向けた負メニスカスレンズ５１および物体側に凸面を向けた正メニスカスレンズ５２により構成される。負メニスカスレンズ５１と正メニスカスレンズ５２とが接合されて接合レンズを構成する。
【０１００】
第６レンズ群Ｇ６は、両凸の正レンズ６１と、負レンズ６２とにより構成される。第２の実施の形態では、負レンズ６２は、物体側に凸面を向けた負メニスカスレンズである。
【実施例】
【０１０１】
以下、本発明の実施の形態に係るズームレンズの構成等を、実施例のコンストラクションデータ等を挙げて更に具体的に説明する。ここで挙げる実施例１〜８（ＥＸ１〜８）は、前述した第１〜第８の実施の形態にそれぞれ対応する数値実施例であり、第１〜第８の実施の形態を表すレンズ構成図（図１〜図８）は、対応する実施例１〜８の光学構成（レンズ配置，レンズ形状等）をそれぞれ示している。
【０１０２】
各実施例のコンストラクションデータでは、面データとして、左側の欄から順に、面番号#（ｏｂｊｅｃｔ：物面，ｓｔｏｐ：開口絞り，ｉｍａｇｅ：像面），曲率半径ｒ（ｍｍ），軸上面間隔ｄ（ｍｍ），ｄ線（波長５８７．５６ｎｍ）に関する屈折率ｎｄ，ｄ線に関するアッベ数ｖｄを示す。面番号ｉに＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してｅ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（Ａ
Ｓ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒの逆数）、
Ｋ：円錐定数、
Ａｊ：ｊ次の非球面係数、
である。
【０１０３】
各種データとして、ズーム比（zoom ratio）および、広角端（wide）、中間焦点距離状態（middle）、および望遠端(tele)の各焦点距離状態における、全系の焦点距離（Ｆｌ，ｍｍ），Ｆ値（Ｆｎｏ．），半画角（ω，°），像高（ｙ’ｍａｘ，ｍｍ），レンズ全長（ＴＬ，ｍｍ），バックフォーカス（ＢＦ，ｍｍ），および可変軸上面間隔（ｖａｒｉａｂｌｅ：ｄｉ（ｉ：面番号），ｍｍ）を示す。また、レンズ群データとして、各レンズ群の焦点距離（ｍｍ）を示す。ただし、バックフォーカスＢＦは、レンズ最終面から近軸像面までの距離を空気換算長により表記している。レンズ全長ＴＬは、レンズ最前面からレンズ最終面までの距離にバックフォーカスＢＦを加えたものである。
【０１０４】
図９〜図１６は、実施例１〜実施例８（ＥＸ１〜ＥＸ８）にそれぞれ対応する縦収差図である。図９〜図１６の各々において、（Ａ）は広角端（ＷＩＤＥ）、（Ｂ）は中間焦点距離状態（ＭＩＤＤＬＥ）、（Ｃ）は望遠端（ＴＥＬＥ）における収差（球面収差、非点収差図、および歪曲収差）を示す図である。
【０１０５】
球面収差図は、ｄ線（波長５８７．５６ｎｍ）に対する球面収差量（実線で示す）、Ｃ線（波長６５６．２８ｎｍ）に対する球面収差量（一点鎖線で示す）、ｇ線（波長４３５．８４ｎｍ）に対する球面収差量（破線で示す）を、それぞれ近軸像面からの光軸ＡＸ方向の焦点位置のズレ量（単位：ｍｍ）で表している。縦軸は瞳への入射高さをその最大高さで規格化した値（すなわち相対瞳高さ）を表している。
【０１０６】
非点収差図において、破線Ｔは、ｄ線に対するタンジェンシャル像面を、近軸像面からの光軸ＡＸ方向の焦点位置のズレ量（単位：ｍｍ）で表しており、実線Ｓは、ｄ線に対するサジタル像面を、近軸像面からの光軸ＡＸ方向の焦点位置のズレ量（単位：ｍｍ）で表している。縦軸は像高（ＩＭＧ  ＨＴ，単位：ｍｍ）を表している。
【０１０７】
歪曲収差図において、横軸はｄ線に対する歪曲を理想の像高に対する実際の像高の割合（単位：％）を表しており、縦軸は像高（ＩＭＧ  ＨＴ，単位：ｍｍ）を表している。なお、像高ＩＭＧ  ＨＴの最大値（すなわち、最大像高ｙ’ｍａｘ）は、撮像素子ＳＲの受光面ＳＳの対角長の半分（すなわち、対角像高）に相当する。
【０１０８】
数値実施例１
単位：mm
面データ
#              r          d       nd         vd
object         infinity   infinity
1           112.035      9.797   1.51680   64.20
2         43981.585   variable
3           247.707      2.757   1.66672   48.32
4            20.973     10.381
5*          656.496      2.626   1.58313   59.38
6*           58.066      7.479
7           -34.706      1.720   1.49700   81.61
8           131.474      4.834   2.00100   29.13
9          -170.678   variable
10            81.006      1.720   1.59349   67.00
11            44.945      4.096   1.90366   31.31
12           102.747   variable
13*          163.413      3.552   1.58313   59.38
14*         -136.726      4.239 
15 (stop)   infinity      3.422 
16          -196.202      2.101   1.72342   37.99
17            56.940     10.414   1.59282   68.62
18           -61.456      0.263
19           130.807     11.188   1.49700   81.61
20           -38.205      0.263
21            64.502      2.101   1.73800   32.26
22            21.084     11.678   1.59282   68.62
23           320.002   variable
24           217.453      1.260   1.76200   40.10
25            16.433      4.062   1.84666   23.78
26            25.892   variable
27            27.994     10.461   1.49700   81.61
28           -36.756      0.815
29*         -120.666      1.969   1.80860   40.42
30*         infinity     19.841
image         infinity
非球面データ
#        K            A4            A6            A8
5   0.0000e+000   3.5199e-005  -1.1916e-007   3.4064e-010
A10           A12           A14           A16
-6.6773e-013   4.5909e-016   0.0000e+000   0.0000e+000
非球面データ
#        K            A4            A6            A8
6   0.0000e+000   2.9989e-005  -1.3123e-007   3.6001e-010
A10           A12           A14           A16
-8.8214e-013   7.2946e-016   0.0000e+000   0.0000e+000
非球面データ
#        K            A4            A6            A8
13   0.0000e+000  -5.7889e-006  -6.6072e-009   2.6841e-011
A10           A12           A14           A16
-3.4023e-014   0.0000e+000   0.0000e+000   0.0000e+000
非球面データ
#        K            A4            A6            A8
14   0.0000e+000   4.3155e-006   2.2768e-010   2.3434e-011
A10           A12           A14           A16
0.0000e+000   0.0000e+000   0.0000e+000   0.0000e+000
非球面データ
#        K            A4            A6            A8
29   0.0000e+000  -3.2438e-005   9.3786e-008  -7.9706e-011
A10           A12           A14           A16
-2.0838e-013   0.0000e+000   0.0000e+000   0.0000e+000
非球面データ
#        K            A4            A6            A8
30   0.0000e+000  -2.4917e-005   1.0185e-007  -7.8851e-011
A10           A12           A14           A16
-1.5816e-013   0.0000e+000   0.0000e+000   0.0000e+000
各種データ
zoom ratio    1.97
Wide      Middle    Tele
Fl        16.149    22.712    31.839
Fno.       2.000     2.000     2.000
ω        41.326    32.014    24.036
y'max      14.200    14.200    14.200
TL       191.408   193.151   203.700
BF        37.853    37.853    37.853
d2         0.788    12.535    24.970
d9        10.743     5.003     1.313
d12        21.517    10.404     2.709
d23         3.282     8.967    15.214
d26         5.996     7.160    10.411
レンズ群データ
群 (面)            Fl
1 (  1-  2)    217.325
2 (  3-  9)    -21.113
3 ( 10- 12)    174.955
4 ( 13- 23)     35.956
5 ( 24- 26)    -42.820
6 ( 27- 30)     41.859
【０１０９】
数値実施例２
単位：mm
面データ
#              r          d       nd         vd
object         infinity   infinity
1            97.798      7.446   1.62299   58.12
2           239.554   variable
3           111.538      3.020   1.83400   37.16
4            24.388     12.132
5*          350.236      2.626   1.58313   59.46
6*           32.444      8.393
7           -57.405      1.983   1.49700   81.61
8            54.472      5.992   2.00100   29.13
9          infinity   variable
10           126.889      1.720   1.48749   70.44
11            41.720      4.614   1.80100   34.97
12           131.111   variable
13*           93.219      4.497   1.58313   59.46
14*         -182.072      3.738
15 (stop)   infinity      5.289
16           -81.847      1.969   1.72047   34.71
17            73.954     10.137   1.48749   70.44
18           -56.054      0.197
19            73.077     11.771   1.49700   81.61
20           -52.330      0.197
21            60.046      2.102   1.80100   34.97
22            23.481     13.469   1.59282   68.62
23          -282.247   variable
24           319.332      1.221   1.76200   40.10
25            17.124      3.913   1.80518   25.46
26            27.020   variable
27            29.938     11.743   1.49700   81.61
28           -29.938      0.760
29*          -96.289      1.838   1.80610   40.73
30*        -1312.991     19.850
image         infinity
非球面データ
#        K            A4            A6            A8
5   0.0000e+000   6.4219e-006  -3.5838e-008   1.0623e-010
A10           A12           A14           A16
-1.9974e-013   1.5034e-016   0.0000e+000   0.0000e+000
非球面データ
#        K            A4            A6            A8
6   0.0000e+000   8.2647e-008  -4.9705e-008   1.5339e-010
A10           A12           A14           A16
-3.6618e-013   3.4720e-016   0.0000e+000   0.0000e+000
非球面データ
#        K            A4            A6            A8
13   0.0000e+000  -2.5035e-006  -2.4245e-009   2.0117e-012
A10           A12           A14           A16
-4.2546e-015   0.0000e+000   0.0000e+000   0.0000e+000
非球面データ
#        K            A4            A6            A8
14   0.0000e+000   3.8466e-006  -6.5759e-010   2.0793e-012
A10           A12           A14           A16
0.0000e+000   0.0000e+000   0.0000e+000   0.0000e+000
非球面データ
#        K            A4            A6            A8
29   0.0000e+000  -4.2929e-005   6.4523e-008   1.4232e-010
A10           A12           A14           A16
-8.5105e-013   0.0000e+000   0.0000e+000   0.0000e+000
非球面データ
#        K            A4            A6            A8
30   0.0000e+000  -3.3180e-005   8.5486e-008   5.0997e-011
A10           A12           A14           A16
-5.6758e-013   0.0000e+000   0.0000e+000   0.0000e+000
各種データ
zoom ratio    2.35 
Wide      Middle    Tele 
Fl        13.523    20.744    31.838 
Fno.       2.200     2.200     2.200 
ω        46.400    34.394    24.037 
y'max      14.200    14.200    14.200 
TL       195.068   191.713   208.161 
BF        19.850    19.850    19.850 
d2         0.788    14.607    33.051 
d9        29.159    11.896     2.317 
d12        17.106     7.955     1.987 
d23         3.282    11.076    19.675 
d26         4.117     5.563    10.515 
レンズ群データ
群 (面)            Fl
1 (  1-  2)    260.041
2 (  3-  9)    -21.502
3 ( 10- 12)    184.564
4 ( 13- 23)     39.379
5 ( 24- 26)    -40.767
6 ( 27- 30)     40.882
【０１１０】
数値実施例３
単位：mm
#              r          d       nd         vd
object         infinity   infinity
1           114.380      6.500   1.71700   47.98
2           227.770   variable
3           117.378      3.151   1.83400   37.34
4            24.995      9.517
5*           58.067      2.626   1.58313   59.38
6*           26.223     11.955
7           -50.973      1.983   1.49700   81.61
8            52.019      6.659   2.00100   29.13
9          1282.529   variable
10            57.845      2.232   1.59349   67.00
11            48.205      3.863   1.84666   23.78
12            74.404   variable
13*          158.330      3.643   1.58313   59.38
14*         -160.994      4.010
15 (stop)   infinity      3.638
16          -174.892      2.101   1.72047   34.71
17            48.612     11.265   1.59282   68.62
18           -77.512      0.263
19           107.992     12.342   1.49700   81.61
20           -41.323      0.263
21            59.773      2.101   1.80610   33.27
22            23.768     12.103   1.59282   68.62
23           800.730   variable
24           204.641      1.260   1.76200   40.10
25            17.181      3.866   1.84666   23.78
26            26.153   variable
27            28.250     10.584   1.49700   81.61
28           -35.218      0.688
29*         -103.890      1.838   1.80860   40.42
30*         infinity     19.847
image         infinity
非球面データ
#        K            A4            A6            A8
5   0.0000e+000   7.4972e-006  -3.0177e-008   3.7983e-011
A10           A12           A14           A16
4.3914e-015  -5.7241e-017   0.0000e+000   0.0000e+000
非球面データ
#        K            A4            A6            A8
6   0.0000e+000  -5.0236e-007  -4.4365e-008   2.2291e-011
A10           A12           A14           A16
5.2462e-014  -1.5899e-016   0.0000e+000   0.0000e+000
非球面データ
#        K            A4            A6            A8
13   0.0000e+000  -5.6908e-006  -8.9796e-009   2.7547e-011
A10           A12           A14           A16
-8.3343e-015   0.0000e+000   0.0000e+000   0.0000e+000
非球面データ
#        K            A4            A6            A8
14   0.0000e+000   2.4077e-006  -5.0212e-009   2.9044e-011
A10           A12           A14           A16
0.0000e+000   0.0000e+000   0.0000e+000   0.0000e+000
非球面データ
#        K            A4            A6            A8
29   0.0000e+000  -1.4146e-005   3.3607e-008  -1.0652e-010
A10           A12           A14           A16
-2.4324e-014   0.0000e+000   0.0000e+000   0.0000e+000
非球面データ
#        K            A4            A6            A8
30   0.0000e+000  -3.8458e-006   3.8480e-008  -9.6114e-011
A10           A12           A14           A16
-6.8648e-016   0.0000e+000   0.0000e+000   0.0000e+000
各種データ
zoom ratio    2.35
Wide      Middle    Tele
Fl        13.523    20.742    31.840
Fno.       2.200     2.200     2.200
ω        46.399    34.395    24.036
y'max      14.200    14.200    14.200
TL       211.113   208.963   223.025
BF        37.733    37.733    37.733
d2         0.788    17.070    33.350
d9        31.287    12.755     1.313
d12        17.249     8.612     3.459
d23         3.282    10.779    19.666
d26         4.164     5.403    10.892
レンズ群データ
群 (面)            Fl
1 (  1-  2)    312.954
2 (  3-  9)    -23.648
3 ( 10- 12)    217.947
4 ( 13- 23)     38.805
5 ( 24- 26)    -43.358
6 ( 27- 30)     42.928
【０１１１】
数値実施例４
単位：mm
#              r          d       nd         vd
object         infinity   infinity
1           102.800      6.912   1.74330   49.22
2           206.015   variable
3           102.837      3.020   1.91082   35.25
4            24.039      9.368
5*           53.438      2.626   1.58313   59.38
6*           25.990     11.076
7           -45.752      1.983   1.49700   81.61
8            59.851      6.314   2.00100   29.13
9         -1250.354   variable
10            76.209      1.851   1.48749   70.44
11            48.642      3.952   1.84666   23.78
12            91.135   variable
13*          157.123      3.572   1.58313   59.38
14*         -176.090      3.967
15 (stop)   infinity      3.393
16          -228.783      2.101   1.76200   40.10
17            38.136     13.571   1.59282   68.62
18           -62.276      0.263
19            82.297     13.672   1.49700   81.61
20           -42.036      0.263
21            61.998      2.101   1.80610   33.27
22            22.748     12.065   1.59282   68.62
23           235.084   variable
24           181.236      1.260   1.76200   40.10
25            17.349      3.832   1.84666   23.78
26            26.272   variable
27            28.201     10.783   1.49700   81.61
28           -34.501      0.692
29*          -94.394      1.838   1.80860   40.42
30*        -3865.509     19.851
image         infinity
非球面データ
#        K            A4            A6            A8
5   0.0000e+000   5.0573e-006  -4.0151e-008   1.1889e-010
A10           A12           A14           A16
-2.0064e-013   1.0081e-016   0.0000e+000   0.0000e+000
非球面データ
#        K            A4            A6            A8
6   0.0000e+000  -4.3685e-006  -6.3430e-008   1.6916e-010
A10           A12           A14           A16
-3.7142e-013   2.3792e-016   0.0000e+000   0.0000e+000
非球面データ
#        K            A4            A6            A8
13   0.0000e+000  -5.5264e-006  -8.9029e-009   2.5309e-011
A10           A12           A14           A16
-6.7619e-015   0.0000e+000   0.0000e+000   0.0000e+000
非球面データ
#        K            A4            A6            A8
14   0.0000e+000   2.6556e-006  -5.1768e-009   2.7037e-011
A10           A12           A14           A16
0.0000e+000   0.0000e+000   0.0000e+000   0.0000e+000
非球面データ
#        K            A4            A6            A8
29   0.0000e+000  -8.1540e-006  -3.3874e-008   1.7956e-010
A10           A12           A14           A16
-5.0260e-013   0.0000e+000   0.0000e+000   0.0000e+000
非球面データ
#        K            A4            A6            A8
30   0.0000e+000   2.8799e-006  -3.3871e-008   2.0673e-010
A10           A12           A14           A16
-5.0303e-013   0.0000e+000   0.0000e+000   0.0000e+000
各種データ
zoom ratio    2.35
Wide      Middle    Tele
Fl        13.523    20.742    31.840
Fno.       2.200     2.200     2.200
ω        46.399    34.395    24.036
y'max      14.200    14.200    14.200
TL       195.069   194.313   207.662
BF        19.851    19.851    19.851
d2         0.788    17.533    32.715
d9        23.853    10.140     1.486
d12        22.612    10.389     3.023
d23         3.282    10.771    19.647
d26         4.211     5.156    10.467
レンズ群データ
群 (面)            Fl
1 (  1-  2)    268.386
2 (  3-  9)    -21.979
3 ( 10- 12)    209.264
4 ( 13- 23)     38.931
5 ( 24- 26)    -44.535
6 ( 27- 30)     43.339
【０１１２】
数値実施例５
単位：mm
#              r          d       nd         vd
object         infinity   infinity
1            97.661      7.474   1.65844   50.85
2           216.264   variable
3           103.052      3.020   1.91082   35.25
4            23.682     10.138
5*           81.876      2.626   1.58313   59.38
6*           29.732     10.395
7           -45.520      1.983   1.49700   81.61
8            60.836      6.396   2.00100   29.13
9          -533.026   variable
10            76.916      1.851   1.48749   70.44
11            52.134      3.920   1.84666   23.78
12            99.241   variable
13*          142.657      3.600   1.58313   59.38
14*         -199.337      3.939
15 (stop)   infinity      3.290
16          -270.726      2.101   1.76200   40.10
17            38.165     13.730   1.59282   68.62
18           -61.732      0.263
19            80.155     13.545   1.49700   81.61
20           -42.906      0.263
21            64.916      2.101   1.80610   33.27
22            22.495     11.998   1.59282   68.62
23           224.702   variable
24           227.061      1.260   1.76200   40.10
25            17.380      3.792   1.84666   23.78
26            26.633   variable
27            27.802     10.871   1.49700   81.61
28           -34.411      0.669
29*         -103.935      1.838   1.80860   40.42
30*         infinity     19.851
image         infinity
非球面データ
#        K            A4            A6            A8
5   0.0000e+000   1.1671e-005  -6.0195e-008   1.7505e-010
A10           A12           A14           A16
-3.0259e-013   1.8490e-016   0.0000e+000   0.0000e+000
非球面データ
#        K            A4            A6            A8
6   0.0000e+000   4.1973e-006  -8.1751e-008   2.3628e-010
A10           A12           A14           A16
-5.1144e-013   3.9485e-016   0.0000e+000   0.0000e+000
非球面データ
#        K            A4            A6            A8
13   0.0000e+000  -5.0290e-006  -7.3270e-009   1.6227e-011
A10           A12           A14           A16
-8.3007e-015   0.0000e+000   0.0000e+000   0.0000e+000
非球面データ
#        K            A4            A6            A8
14   0.0000e+000   2.9050e-006  -3.6769e-009   1.6458e-011
A10           A12           A14           A16
0.0000e+000   0.0000e+000   0.0000e+000   0.0000e+000
非球面データ
#        K            A4            A6            A8
29   0.0000e+000  -1.4930e-005   1.6288e-008   2.2616e-011
A10           A12           A14           A16
-2.9820e-013   0.0000e+000   0.0000e+000   0.0000e+000
非球面データ
#        K            A4            A6            A8
30   0.0000e+000  -4.2085e-006   2.2644e-008   3.2079e-011
A10           A12           A14           A16
-2.5433e-013   0.0000e+000   0.0000e+000   0.0000e+000
各種データ
zoom ratio    2.35
Wide      Middle    Tele
Fl        13.523    20.742    31.840
Fno.       2.200     2.200     2.200
w         46.399    34.395    24.036
y max      14.200    14.200    14.200
TL       211.120   209.537   223.064
BF        37.740    37.740    37.740
d2         0.788    16.549    31.932
d9        24.836    10.385     1.313
d12        21.211     9.696     2.843
d23         3.321    11.112    20.463
d26         4.001     4.831     9.549
レンズ群データ
群 (面)            Fl
1 (  1-  2)    263.856
2 (  3-  9)    -21.782
3 ( 10- 12)    202.121
4 ( 13- 23)     39.376
5 ( 24- 26)    -43.550
6 ( 27- 30)     41.959
【０１１３】
数値実施例６
単位：mm
#              r          d       nd         vd
object         infinity   infinity
1           120.349      7.245   1.65844   50.85
2           304.573   variable
3           130.126      2.889   1.83400   37.16
4            25.497     10.246
5*           68.724      2.626   1.58313   59.38
6*           27.120     10.723
7           -48.807      1.983   1.49700   81.61
8            65.917      5.653   2.00100   29.13
9          -558.712   variable
10            71.205      1.720   1.59349   67.00
11            31.300      5.199   1.80610   33.27
12            70.544   variable
13*           62.104      4.709   1.58313   59.38
14*         -278.076      3.837
15 (stop)   infinity      4.328
16           -91.521      1.969   1.91082   35.25
17            55.705     12.840   1.59282   68.62
18           -59.969      0.263
19           100.302     11.772   1.49700   81.61
20           -42.615      0.263
21            48.372      2.101   1.80610   33.27
22            23.552     11.412   1.59282   68.62
23           277.374   variable
24           122.542      1.260   1.76200   40.10
25            17.097      3.819   1.84666   23.78
26            24.864   variable
27            27.555     10.868   1.49700   81.61
28           -33.889      0.803
29*          -79.129      2.101   1.80860   40.42
30*        -6330.530     19.850
image         infinity
非球面データ
#        K            A4            A6            A8
5   0.0000e+000   6.7221e-006  -4.9739e-008   1.6717e-010
A10           A12           A14           A16
-3.0099e-013   1.9512e-016   0.0000e+000   0.0000e+000
非球面データ
#        K            A4            A6            A8
6   0.0000e+000  -1.5350e-006  -7.1845e-008   2.3071e-010
A10           A12           A14           A16
-4.9018e-013   3.4970e-016   0.0000e+000   0.0000e+000
非球面データ
#        K            A4            A6            A8
13   0.0000e+000  -2.1289e-006  -7.4781e-009  -9.7300e-012
A10           A12           A14           A16
-1.0329e-014   0.0000e+000   0.0000e+000   0.0000e+000
非球面データ
#        K            A4            A6            A8
14   0.0000e+000   5.5325e-006  -4.2433e-009  -1.1445e-011
A10           A12           A14           A16
0.0000e+000   0.0000e+000   0.0000e+000   0.0000e+000
非球面データ
#        K            A4            A6            A8
29   0.0000e+000  -8.4066e-006  -3.7917e-008   2.1620e-010
A10           A12           A14           A16
-5.7588e-013   0.0000e+000   0.0000e+000   0.0000e+000
非球面データ
#        K            A4            A6            A8
30   0.0000e+000   2.5904e-006  -3.7773e-008   2.4271e-010
A10           A12           A14           A16
-5.6888e-013   0.0000e+000   0.0000e+000   0.0000e+000
各種データ
zoom ratio    2.35
Wide      Middle    Tele
Fl        13.523    20.742    31.841
Fno.       2.200     2.200     2.200
ω        46.399    34.396    24.035
y'max      14.200    14.200    14.200
TL       195.069   191.036   210.035
BF        19.850    19.850    19.850
d2         0.788    14.699    35.498
d9        28.546    10.865     1.313
d12        17.745     8.268     2.231
d23         3.282    11.336    19.931
d26         4.229     5.389    10.582
レンズ群データ
群 (面)            Fl
1 (  1-  2)    297.542
2 (  3-  9)    -23.164
3 ( 10- 12)    235.962
4 ( 13- 23)     39.069
5 ( 24- 26)    -45.523
6 ( 27- 30)     44.927
【０１１４】
数値実施例７
単位：mm
#              r          d       nd         vd
object         infinity   infinity
1            97.013      7.289   1.62299   58.12
2           224.099   variable
3           112.669      3.020   1.83400   37.16
4            24.730     11.606
5*          224.633      2.626   1.58270   59.34
6*           31.880      9.311
7           -51.655      1.983   1.49700   81.61
8            53.348      6.079   2.00100   29.13
9          infinity   variable
10           110.989      1.720   1.48749   70.44
11            42.777      4.565   1.80100   34.97
12           129.407   variable
13*           92.909      4.571   1.58313   59.46
14*         -168.064      3.661
15 (stop)   infinity      5.208
16           -86.100      1.969   1.72047   34.71
17            60.978     10.476   1.48749   70.44
18           -60.978      0.197
19            84.935     12.129   1.49700   81.61
20           -46.469      0.197
21            54.811      2.101   1.80100   34.97
22            23.483     12.920   1.59282   68.62
23          infinity   variable
24           259.112      1.260   1.76200   40.10
25            17.512      3.836   1.80518   25.46
26            27.369   variable
27            29.954     11.737   1.49700   81.61
28           -29.954      0.799
29*          -95.537      1.838   1.80610   40.73
30*        -1312.991     19.850
image         infinity
非球面データ
#        K            A4            A6            A8
5   0.0000e+000   1.2336e-005  -5.7597e-008   1.6342e-010
A10           A12           A14           A16
-2.8199e-013   1.9851e-016   0.0000e+000   0.0000e+000
非球面データ
#        K            A4            A6            A8
6   0.0000e+000   6.5003e-006  -7.1854e-008   2.0376e-010
A10           A12           A14           A16
-4.2318e-013   3.5547e-016   0.0000e+000   0.0000e+000
非球面データ
#        K            A4            A6            A8
13   0.0000e+000  -3.0260e-006  -1.4432e-009   3.0013e-012
A10           A12           A14           A16
-4.6809e-015   0.0000e+000   0.0000e+000   0.0000e+000
非球面データ
#        K            A4            A6            A8
14   0.0000e+000   3.4280e-006   5.5269e-010   3.3978e-012
A10           A12           A14           A16
0.0000e+000   0.0000e+000   0.0000e+000   0.0000e+000
非球面データ
#        K            A4            A6            A8
29   0.0000e+000  -4.5744e-005   8.0650e-008   8.5860e-011
A10           A12           A14           A16
-7.2196e-013   0.0000e+000   0.0000e+000   0.0000e+000
非球面データ
#        K            A4            A6            A8
30   0.0000e+000  -3.6175e-005   1.0279e-007  -1.1269e-011
A10           A12           A14           A16
-4.3564e-013   0.0000e+000   0.0000e+000   0.0000e+000
各種データ
zoom ratio    2.35
Wide      Middle    Tele
Fl        13.523    20.743    31.838
Fno.       2.200     2.200     2.200
ω        46.400    34.394    24.037
y'max      14.200    14.200    14.200
TL       195.068   192.145   208.955
BF        19.850    19.850    19.850
d2         0.788    14.776    33.139
d9        30.086    12.294     2.144
d12        15.901     7.360     2.012
d23         3.282    11.534    20.825
d26         4.062     5.231     9.886
レンズ群データ
群 (面)            Fl
1 (  1-  2)    268.674
2 (  3-  9)    -21.592
3 ( 10- 12)    175.162
4 ( 13- 23)     40.197
5 ( 24- 26)    -42.340
6 ( 27- 30)     40.985
【０１１５】
数値実施例８
単位：mm
#              r          d       nd         vd
object         infinity   infinity
1           100.067      6.789   1.62041   60.34
2           215.454   variable
3           116.796      3.020   1.83400   37.16
4            25.496     11.616
5*          131.299      2.626   1.58270   59.34
6*           31.107      9.581
7           -53.650      1.983   1.49700   81.61
8            61.216      5.271   2.00100   29.13
9         -1312.991   variable
10            68.173      1.733   1.59349   67.00
11            35.550      4.652   1.69895   30.05
12            90.896   variable
13*           99.408      4.315   1.58313   59.46
14*         -157.038      3.527
15 (stop)   infinity      5.649
16           -67.509      1.969   1.74950   35.33
17            73.063      9.835   1.59282   68.62
18           -58.784      0.197
19            79.687     11.480   1.49700   81.61
20           -50.625      0.197
21            53.062      2.101   1.80610   33.27
22            23.587     13.086   1.59282   68.62
23          -315.551   variable
24           313.378      1.260   1.76200   40.10
25            17.269      3.691   1.84666   23.78
26            24.841   variable
27            32.472     11.544   1.49700   81.61
28           -28.818      0.780
29*          -96.742      2.232   1.80610   40.73
30*        -1312.991     19.850
image         infinity
非球面データ
#        K            A4            A6            A8
5   0.0000e+000   3.0531e-006  -1.3636e-008   3.7746e-011
A10           A12           A14           A16
-8.0488e-014   6.1887e-017   0.0000e+000   0.0000e+000
非球面データ
#        K            A4            A6            A8
6   0.0000e+000  -4.0945e-006  -2.2350e-008   4.9643e-011
A10           A12           A14           A16
-1.4492e-013   1.3596e-016   0.0000e+000   0.0000e+000
非球面データ
#        K            A4            A6            A8
13   0.0000e+000  -2.6484e-006  -9.5220e-010   1.1041e-013
A10           A12           A14           A16
4.9600e-015   0.0000e+000   0.0000e+000   0.0000e+000
非球面データ
#        K            A4            A6            A8
14   0.0000e+000   3.9315e-006   3.3168e-011   6.2671e-012
A10           A12           A14           A16
0.0000e+000   0.0000e+000   0.0000e+000   0.0000e+000
非球面データ
#        K            A4            A6            A8
29   0.0000e+000  -4.5997e-005   3.3884e-008   2.7172e-010
A10           A12           A14           A16
-9.2364e-013   0.0000e+000   0.0000e+000   0.0000e+000
非球面データ
#        K            A4            A6            A8
30   0.0000e+000  -3.7755e-005   6.3789e-008   1.2351e-010
A10           A12           A14           A16
-5.4968e-013   0.0000e+000   0.0000e+000   0.0000e+000
各種データ
zoom ratio    2.35
Wide      Middle    Tele
Fl        13.523    20.745    31.840
Fno.       2.200     2.200     2.200
ω        46.399    34.392    24.036
y'max      14.200    14.200    14.200
TL       195.069   190.742   206.296
BF        19.850    19.850    19.850
d2         0.788    15.133    35.569
d9        30.779    11.625     1.407
d12        17.101     8.943     2.480
d23         3.282    10.208    18.177
d26         4.135     5.848     9.679
レンズ群データ
群 (面)            Fl
1 (  1-  2)    294.532
2 (  3-  9)    -22.853
3 ( 10- 12)    234.064
4 ( 13- 23)     37.190
5 ( 24- 26)    -38.169
6 ( 27- 30)     41.886
【０１１６】
表１に各実施例の数値を示す。表２に、各実施例の条件式対応値を示す。表２において、（３）式−１、（３）式−２、（３）式−３、（３）式−４は、物体側から順に該当する正レンズのアッベ数を示す。
【表１】
2020190679.tif 000003
【表２】
2020190679.tif 000004
【０１１７】
図１７は、本実施の形態に係るズームレンズを備えた撮像光学装置およびデジタル機器の概略構成図である。図１７に示すように、デジタル機器ＤＵは撮像光学装置ＬＵを備える。撮像光学装置ＬＵは、物体（すなわち被写体）側から順に、物体の光学像（像面ＩＭ）を形成するズームレンズＬＮ（ＡＸは光軸を示す）と、ズームレンズＬＮにより受光面（撮像面）ＳＳ上に形成された光学像を電気的な信号に変換する撮像素子ＳＲとを備えてる。必要に応じて、平行平面板（例えば、撮像素子ＳＲのカバーガラス；必要に応じて配置される光学的ローパスフィルター，赤外カットフィルター等の光学フィルター等に相当する。）が撮像光学装置ＬＵに配置されてもよい。
【０１１８】
撮像素子ＳＲとしては、例えば複数の画素を有するＣＣＤ(Charge Coupled Device)型イメージセンサ，ＣＭＯＳ(Complementary Metal-Oxide Semiconductor)型イメージセンサ等の固体撮像素子が用いられる。ズームレンズＬＮは、撮像素子ＳＲの光電変換部である受光面ＳＳ上に被写体の光学像が形成されるように設けられている。ズームレンズＬＮによって形成された光学像は、撮像素子ＳＲによって電気的な信号に変換される。
【０１１９】
デジタル機器ＤＵは、撮像光学装置ＬＵの他に、信号処理部１，制御部２，メモリー３，操作部４，表示部５を備えている。信号処理部１は、撮像素子ＳＲで生成された信号に所定のデジタル画像処理あるいは画像圧縮処理等の処理を必要に応じて施してデジタル映像信号を生成する。デジタル映像信号はメモリー３（半導体メモリー，光ディスク等）に記録される。デジタル映像信号は他の機器に伝送されてもよい。
【０１２０】
制御部２はマイクロコンピューターからなっており、撮影機能（静止画撮影機能，動画撮影機能等），画像再生機能等の機能の制御；フォーカシング等のためのレンズ移動機構の制御等を集中的に行う。例えば、被写体の静止画撮影，動画撮影のうちの少なくとも一方を行うように、制御部２により撮像光学装置ＬＵに対する制御が行われる。
【０１２１】
表示部５は液晶モニター等のディスプレイを含む部分であり、撮像素子ＳＲによって変換された画像信号あるいはメモリー３に記録されている画像情報を用いて画像表示を行う。
【０１２２】
操作部４は、操作ボタン（例えばレリーズボタン）、操作ダイヤル（例えば撮影モードダイヤル）等の操作部材を含む部分であり、操作者が操作入力した情報を制御部２に伝達する。
【０１２３】
本発明の実施の形態および実施例について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【０１２４】
１  信号処理部、２  制御部、３  メモリー、４  操作部、５  表示部、１１，２４，４１，４３，４４，４６，６１  正レンズ、２１，２２，３１，４５，５１  負メニスカスレンズ、２３，４２，６２  負レンズ、３２，５２  正メニスカスレンズ、ＡＸ  光軸、ＤＵ  デジタル機器、Ｇ１  第１レンズ群、Ｇ２  第２レンズ群、Ｇ３  第３レンズ群、Ｇ４  第４レンズ群、Ｇ５  第５レンズ群、Ｇ６  第６レンズ群、ＩＭ  像面、ＬＮ  ズームレンズ、ＬＵ  撮像光学装置、ＳＲ  撮像素子、ＳＳ  受光面。
【図１】
2020190679.tif 000005
【図２】
2020190679.tif 000006
【図３】
2020190679.tif 000007
【図４】
2020190679.tif 000008
【図５】
2020190679.tif 000009
【図６】
2020190679.tif 000010
【図７】
2020190679.tif 000011
【図８】
2020190679.tif 000012
【図９】
2020190679.tif 000013
【図１０】
2020190679.tif 000014
【図１１】
2020190679.tif 000015
【図１２】
2020190679.tif 000016
【図１３】
2020190679.tif 000017
【図１４】
2020190679.tif 000018
【図１５】
2020190679.tif 000019
【図１６】
2020190679.tif 000020
【図１７】
2020190679.tif 000021